(57)【要約】      （修正有）【課題】キャップの雄ねじにシリンジ等の被接続部材を接続したときに、当該被接続部材を所望の方向に向けることができるコネクタを提供する。【解決手段】コネクタ１は、内部に液体が流通する流路と流路に連なる接続用開口１９とを備えるコネクタ本体１０と、外周面に雄ねじ２３が設けられるとともに一端にオスコネクタ接続用の接続孔２４が設けられる円筒部２１を備え、コネクタ本体１０に固定されて接続用開口１９を覆うキャップ１１と、キャップ１１をコネクタ本体１０に対して円筒部２１の軸心を中心とした回転方向に位置決めする位置決め手段３０と、を有することを特徴とする。【選択図】図４
0003203662.tif 000002
【実用新案登録請求の範囲】
【請求項１】
内部に液体が流通する流路と該流路に連なる接続用開口とを備えるコネクタ本体と、
外周面に雄ねじが設けられるとともに一端にオスコネクタ接続用の接続孔が設けられる円筒部を備え、前記コネクタ本体に固定されて前記接続用開口を覆うキャップと、
前記キャップを前記コネクタ本体に対して前記円筒部の軸心を中心とした回転方向に位置決めする位置決め手段と、を有することを特徴とするコネクタ。
【請求項２】
前記位置決め手段は、前記コネクタ本体または前記キャップの何れか一方に設けられる突起と、前記コネクタ本体または前記キャップの何れか他方に設けられ前記突起が係合する凹部とから成ることを特徴とする請求項１に記載のコネクタ。
【請求項３】
前記コネクタ本体に円形の嵌合凹部を設け、前記円筒部に円形のフランジ部を設け、該フランジ部を前記嵌合凹部に嵌め込んだことを特徴とする請求項１に記載のコネクタ。
【請求項４】
前記嵌合凹部の内周面または前記フランジ部の外周面のいずれか一方に径方向に突出する突起を設け、前記嵌合凹部の内周面または前記フランジ部の外周面のいずれか他方に前記突起が係合する径方向に凹んだ凹溝を設けることを特徴とする請求項３に記載のコネクタ。
【請求項５】
前記円筒部の軸心を中心として点対称に配置される一対の前記突起および一対の前記凹溝を有することを特徴とする請求項４に記載のコネクタ。
【請求項６】
前記円筒部の内部に、弾性体により形成され、前記接続孔を閉塞するとともに前記接続孔から露出する押込み面にスリットを備えた弁体を設けることを特徴とする請求項１に記載のコネクタ。
【考案の詳細な説明】
【技術分野】
【０００１】
本発明は、例えば輸液ライン等に設けられて、シリンジ等の各種医療機器や他の輸液ライン等の被接続部材のオスコネクタを接続可能なコネクタに関する。
【背景技術】
【０００２】
従来から、輸液、輸血、人工透析などを行う場合には、薬液や血液等の液体を医療用のチューブを備えた輸液ラインを通して体内へ送るようにしている。【０００３】
チューブ内を流れる液体に他の薬液等の液体を合流させるために、輸液ラインの途中には、オスコネクタ接続用の接続孔を備えたコネクタが設けられる。例えば、シリンジにより輸液ラインに他の薬液を注入する場合には、シリンジに設けられたルアー等のオスコネクタがコネクタの接続孔に差し込まれ、当該シリンジが輸液ラインに接続される。【０００４】
このようなコネクタとしては、例えば特許文献１に示されるように、外周面に雄ねじを備えた円筒部を備え、この円筒部の先端にオスコネクタ接続用の接続孔を設けたロックコネクタタイプのものが知られている。ロックコネクタタイプのコネクタでは、対応するシリンジには雌ねじが一体に設けられる。そして、シリンジに設けられた雌ねじをキャップの雄ねじにねじ結合することにより、シリンジをコネクタに固定して、オスコネクタを確実に接続孔に接続した状態に保持することができる。
【先行技術文献】
【特許文献】
【０００５】
【特許文献１】特開２００９−１１８２０号公報
【考案の概要】
【考案が解決しようとする課題】
【０００６】
しかしながら、従来のコネクタは、雄ねじを備えた円筒部をキャップに設け、このキャップを、流路を備えたコネクタ本体に固定する構造となっているので、コネクタ本体に対するキャップの固定方向にばらつきがあった。【０００７】
そのため、コネクタによって、キャップの雄ねじのねじ山開始端の、コネクタ本体の接続部に対する回転方向位置にばらつきがあり、シリンジをコネクタに固定したときに、シリンジの目盛りが目視しづらい方向を向いて、操作がしづらくなる場合があった。【０００８】
本発明は、従来技術が抱えるこのような問題を解決することを課題とするものであり、その目的とするところは、キャップの雄ねじにシリンジ等の被接続部材を接続したときに、当該被接続部材を所望の方向に向けることができるコネクタを提供することにある。
【課題を解決するための手段】
【０００９】
本発明のコネクタは、内部に液体が流通する流路と該流路に連なる接続用開口とを備えるコネクタ本体と、外周面に雄ねじが設けられるとともに一端にオスコネクタ接続用の接続孔が設けられる円筒部を備え、前記コネクタ本体に固定されて前記接続用開口を覆うキャップと、前記キャップを前記コネクタ本体に対して前記円筒部の軸心を中心とした回転方向に位置決めする位置決め手段と、を有することを特徴とする。【００１０】
上記構成においては、前記位置決め手段は、前記コネクタ本体または前記キャップの何れか一方に設けられる突起と、前記コネクタ本体または前記キャップの何れか他方に設けられ前記突起が係合する凹部とから成るのが好ましい。【００１１】
上記構成においては、前記コネクタ本体に円形の嵌合凹部を設け、前記円筒部に円形のフランジ部を設け、該フランジ部を前記嵌合凹部に嵌め込むのが好ましい。【００１２】
上記構成においては、前記嵌合凹部の内周面または前記フランジ部の外周面のいずれか一方に径方向に突出する突起を設け、前記嵌合凹部の内周面または前記フランジ部の外周面のいずれか他方に前記突起が係合する径方向に凹んだ凹溝を設けるのが好ましい。【００１３】
上記構成においては、前記円筒部の軸心を中心として点対称に配置される一対の前記突起および一対の前記凹溝を有するのが好ましい。【００１４】
上記構成においては、前記円筒部の内部に、弾性体により形成され、前記接続孔を閉塞するとともに前記接続孔から露出する押込み面にスリットを備えた弁体を設けるのが好ましい。
【考案の効果】
【００１５】
本発明によれば、キャップをコネクタ本体に対して、円筒部の軸心を中心とした回転方向に位置決めするための位置決め手段を設けることにより、キャップに設けた雄ねじのねじ山開始端を、コネクタ本体の接続部に対して所定の方向を向くようにしたので、被接続部材に一体に設けられた雌ねじを雄ねじにねじ結合して、この被接続部材をコネクタに固定したときに、当該被接続部材をコネクタに対して所望の方向を向くようにすることができる。これにより、例えば、このコネクタにシリンジを固定する場合には、そのシリンジの目盛りが常に手前側に向くようにして、その操作を容易に行い得るようにすることができる。また、被接続部材とコネクタ本体とに締め込み位置を規定するためのマークを付す構成とした場合には、これらのマークが一致するまで被接続部材の雌ねじをコネクタの雄ねじにねじ込むことで適切な締め込み度合いを目視により確認して被接続部材のコネクタへの接続操作を容易に行いえるようにすることができる。このように、被接続部材の操作ないし取り扱いを容易にすることができる。【００１６】
また、本発明によれば、位置決め手段を、コネクタ本体またはキャップの何れか一方に設けられる突起と、コネクタ本体またはキャップの何れか他方に設けられる凹部とで構成するようにしたので、簡単な構成で、キャップをコネクタ本体に対して、円筒部の軸心を中心とした回転方向に確実に位置決めすることができる。【００１７】
さらに、本発明によれば、コネクタ本体に円形の嵌合凹部を設け、円筒部に円形のフランジ部を設け、フランジ部を嵌合凹部に嵌め込むようにしたので、キャップにオスコネクタを接続したときに、当該キャップに加わる径方向への荷重をコネクタ本体により確実に支持させて、このコネクタの耐久性を高めることができる。【００１８】
さらに、本発明によれば、嵌合凹部の内周面またはフランジ部の外周面のいずれか一方に径方向に突出する突起を設け、嵌合凹部の内周面またはフランジ部の外周面のいずれか他方に突起が係合する径方向に凹んだ凹溝を設けるようにしたので、キャップにオスコネクタを接続したときに、当該キャップに加わる回転方向への荷重をコネクタ本体により確実に支持させて、キャップとコネクタ本体の接続の耐久性を高めることができる。【００１９】
さらに、本発明によれば、円筒部の軸心を中心として点対称に配置される一対の突起および一対の凹溝を設けるようにしたので、キャップをコネクタ本体に対して２方向に向けて固定可能として、その固定作業を容易にすることができる。【００２０】
さらに、本発明によれば、円筒部の内部に、弾性体により形成され、接続孔を閉塞するとともに接続孔から露出する押込み面にスリットを備えた弁体を設けるようにしたので、オスコネクタが接続されない状態においては接続孔を確実に閉塞しつつ、オスコネクタが接続された状態においてはこれを確実に液密に接続することができる。
【図面の簡単な説明】
【００２１】
【図１】本発明の一実施の形態であるコネクタが用いられる輸液ラインを示す図である。
【図２】図１に示すコネクタの詳細を示す斜視図である。
【図３】図１に示すコネクタの断面図である。
【図４】図２に示すコネクタの分解斜視図である。
【図５】コネクタのシリンジが接続された状態の断面図である。
【図６】キャップの雄ねじのねじ山開始端とコネクタ本体の接続部との位置関係を示す図である。
【図７】コネクタに接続されたシリンジの状態を示す図である。
【図８】コネクタとシリンジとに位置決めマークを付した場合を示す図である。
【図９】（ａ）、（ｂ）はそれぞれ、位置決め手段の変形例を示す図である。
【考案を実施するための形態】
【００２２】
以下に図面を参照しつつ、本発明の一実施の形態であるコネクタ１について説明する。
【００２３】
図１に示すように、本発明の一実施の形態であるコネクタ１は輸液ライン２に設けられる。輸液ライン２は、例えば、薬液等の液体を収容する輸液バッグ３と、患者の静脈等に差し込まれる留置針４の間に点滴筒５とクレンメ６とを備え、これらが医療用のチューブ７で接続された構成とされる。コネクタ１はこの輸液ライン２上に設けられ、例えばシリンジ８等の被接続部材を輸液ライン２に接続可能とする。
【００２４】
図１では、コネクタ１にシリンジ８を接続する場合を示すが、コネクタ１には、シリンジ８に限らず、人工透析装置等の他の医療機器や他の輸液ライン、延長チューブ等を接続することもできる。
【００２５】
図２、図３に示すように、コネクタ１は、ホルダとも呼ばれるコネクタ本体１０と、このコネクタ本体１０に固定されるキャップ１１とを有している。
【００２６】
コネクタ本体１０は、略円柱状に形成される本体部１２と一対の接続部１３，１４とを備えている。本体部１２と接続部１３，１４は、例えば樹脂材料の射出成形により一体に形成することができるが、各種の金属材料やガラス材、セラミック材料等で形成することもできる。
【００２７】
接続部１３，１４はそれぞれ円筒状に形成され、本体部１２の外周面から径方向外側に向けて突出している。接続部１３の軸心と接続部１４の軸心は互いに一致しており、また、これらの軸心は本体部１２の径方向とも一致している。一方の接続部１３の開口端は流入口１５となっており、他方の接続部１４の開口端は流出口１６となっている。したがって、一方の接続部１３を輸液ライン２の輸液バッグ３側のチューブ７に差し込むとともに、他方の接続部１４を輸液ライン２の留置針４側のチューブ７に差し込むことにより、コネクタ１を輸液ライン２に接続することができる。なお、一方の接続部１３の開口端を流出口１６とし、他方の接続部１４の開口端を流入口１５とすることもできる。
【００２８】
図３に示すように、コネクタ本体１０の内部には、接続部１３の流入口１５から本体部１２の内部を通って接続部１４の流出口１６にまで至る流路１７が設けられている。つまり、この流路１７は、コネクタ本体１０の内部に、その本体部１２の径方向に沿って延びて設けられ、流入口１５と流出口１６とに連通している。
【００２９】
図３、図４に示すように、本体部１２の軸方向の一端側となる上面１２ａには嵌合凹部１８が設けられている。嵌合凹部１８は本体部１２と同軸の円形に形成されており、本体部１２の上面１２ａに対して軸方向内側に向けて凹んでいる。嵌合凹部１８の底面１８ａには接続用開口１９が開口している。この接続用開口１９は本体部１２や嵌合凹部１８と同軸の円形に形成されており、本体部１２の流路１７の中間部分に連ねられている。本体部１２には、流路１７の底面側から接続用開口１９に側に向けて突出する凸部２０が一体に設けられ、この凸部２０により流路１７は接続用開口１９に向けてクランク状に曲げられている。
【００３０】
キャップ１１は円筒部２１とフランジ部２２とを備えている。円筒部２１とフランジ部２２は、例えば樹脂材料の射出成形により一体に形成されるが、コネクタ本体１０と同様に他の材質で形成することもできる。
【００３１】
円筒部２１の外周には雄ねじ２３が設けられている。この雄ねじ２３は、国際標準化機構による規格番号ISO  594-1、ISO  594-2により規定された形状を有する２条ねじとなっており、医療用のシリンジ８等に設けられるロックコネクタの雌ねじにねじ結合することができる。
【００３２】
円筒部２１はその先端に軸方向に垂直な端面２１ａを一体に備え、この端面２１ａの軸心にはオスコネクタ接続用の接続孔２４が設けられている。
【００３３】
フランジ部２２は円筒部２１の基端に一体に設けられ、円筒部２１に対して径方向外側に突出する円形に形成されている。フランジ部２２の外径はコネクタ本体１０の嵌合凹部１８の内径と略同一に設定されている。キャップ１１は、フランジ部２２を嵌合凹部１８に嵌め込み、これらを超音波溶着（融着）により互いに溶着することによりコネクタ本体１０に固定されている。キャップ１１がコネクタ本体１０に固定されることにより、接続用開口１９はキャップ１１により覆われている。
【００３４】
なお、キャップ１１は、超音波溶着に限らず、接着剤や圧入等の他の固定手段を用いてコネクタ本体１０に固定することもできる。
【００３５】
図３に示すように、円筒部２１の内側には弁体２５が装着されている。この弁体２５は、例えばゴム材料や熱可塑性エラストマー等の弾性体により円柱状に形成された弁本体部２５ａと、弁本体部２５ａの外周に全周に亘って一体に設けられた被保持部２５ｂとを備えている。キャップ１１の円筒部２１の内側には円筒部２１よりも小径の円筒状の内挿体２６が嵌め込まれ、この内挿体２６と円筒部２１の端面２１ａとの間に被保持部２５ｂが挟み込まれて、弁体２５は円筒部２１の内側に固定されている。弁本体部２５ａは接続孔２４の内側に嵌め込まれており、その軸方向の一端側（図３中上方）の押込み面２５ｃは円筒部２１の端面２１ａと同一面状となって接続孔２４から外部に露出している。また、弁体２５の弁本体部２５ａが嵌め込まれることにより、接続孔２４は弁体２５により閉塞されている。弁本体部２５ａの押込み面２５ｃには、オスコネクタの押込み用の直線状のスリット２５ｄが設けられている。
【００３６】
図３に示すように、コネクタ１にシリンジ８等に設けられたオスコネクタが接続されていない状態では、コネクタ本体１０の流路１７は、その接続用開口１９がキャップ１１に設けた弁体２５により閉塞されている。したがって、コネクタ１は、輸液ライン２から流入した液体を、流路１７の内部を流通させて流出口１６から流出させることができる。
【００３７】
一方、コネクタ１にシリンジ８等の被接続部材に設けられたオスコネクタを差し込むことで、当該被接続部材を、コネクタ１を介して輸液ライン２に接続することができる。図５に、図１に示すシリンジ８をコネクタ１に接続した状態を示す。
【００３８】
図５に示すように、シリンジ８は、その先端に、国際標準化機構による規格番号ISO  594-1、ISO  594-2により規定された形状を有するオスコネクタ（ルアー）２７を有している。また、シリンジ８の先端には、オスコネクタ２７の外側を覆う円筒状の筒部２８が一体に設けられ、この筒部２８の内周面には、キャップ１１の雄ねじ２３に対応した形状を有する雌ねじ２９が一体に設けられている。この雌ねじ２９の形状も、国際標準化機構による規格番号ISO  594-1、ISO  594-2により規定されたものである。シリンジ８とオスコネクタ２７および雌ねじ２９を備えた筒部２８は、例えば樹脂材料の射出成形により一体に形成されている。
【００３９】
シリンジ８のオスコネクタ２７を弁体２５のスリット２５ｄに向けて押し込むことにより、弁体２５がキャップ１１の内側へ向けて弾性変形し、シリンジ８のオスコネクタ２７を流路１７に液密に接続することができる。また、このとき、シリンジ８の筒部２８の内周面に設けられた雌ねじ２９を、キャップ１１の雄ねじ２３にねじ結合させることにより、シリンジ８をコネクタ１に固定して、オスコネクタ２７の流路１７への接続を保持することができる。
【００４０】
図６は、キャップ１１の雄ねじ２３のねじ山開始端Ｓとコネクタ本体１０の接続部１３，１４との位置関係を示す図である。
【００４１】
本発明では、キャップ１１をコネクタ本体１０に対して、円筒部２１の軸心を中心とした回転方向に位置決めするための位置決め手段３０を設けている。これにより、図６に示すように、キャップ１１に設けた雄ねじ２３のねじ山開始端Ｓを、コネクタ本体１０の接続部１３，１４に対して所定の方向を向くようにしている。
【００４２】
本実施の形態においては、位置決め手段３０は、一対の突起３１と一対の凹溝（凹部）３２とで構成されている。
【００４３】
図４に示すように、一対の突起３１は、それぞれキャップ１１のフランジ部２２の外周面に一体に設けられている。それぞれの突起３１は、フランジ部２２の外周面から径方向外側に向けて突出するとともに、互いに円筒部２１の軸心を中心として点対称につまり円筒部２１の軸心を中心として互いに周方向に１８０度ずれて配置されている。また、各突起３１は、それぞれ径方向内側から外側に向けて徐々にその周方向幅が狭くなる台形状に形成されている。
【００４４】
一対の凹溝３２は、それぞれコネクタ本体１０の嵌合凹部１８の内周面に設けられている。それぞれの凹溝３２は嵌合凹部１８の内周面から径方向外側に向けて凹むとともに、その軸方向上方側はコネクタ本体の本体部１２の上面１２ａに開放されている。また、一対の凹溝３２は、それぞれ突起３１に対応した台形形状に形成されている。一対の凹溝３２も突起３１と同様に、円筒部２１の軸心を中心として点対称につまり円筒部２１の軸心を中心として互いに周方向に１８０度ずれて配置されている。
【００４５】
キャップ１１は、その一方の突起３１を一方の凹溝３２に係合させるとともに、他方の突起３１を他方の凹溝３２に係合させた状態でコネクタ本体１０に固定される。これにより、キャップ１１を、コネクタ本体１０に対して、円筒部２１の軸心を中心とした回転方向に位置決めすることができる。キャップ１１のフランジ部２２に設けられる突起３１と、円筒部２１に設けられる雄ねじ２３のねじ山開始端Ｓとの位置関係は決まっているので、キャップ１１をコネクタ本体１０に固定すると、図６に示すように、キャップ１１に設けた雄ねじ２３のねじ山開始端Ｓは、コネクタ本体１０の接続部１３，１４に対して円筒部２１の軸心を中心として所定の方向Ｄを向くことになる。
【００４６】
なお、雄ねじ２３は２条ねじに構成されているので、図６に示す状態からキャップ１１をコネクタ本体１０に対して１８０度回転させて固定しても、キャップ１１に設けた雄ねじ２３のねじ山開始端Ｓのコネクタ本体１０の接続部１３，１４に対する位置関係は変わらない。したがって、円筒部２１の軸心を中心とした回転方向に点対称の位置に、一対の突起３１および凹溝３２を設けるようにしても、キャップ１１に設けた雄ねじ２３のねじ山開始端Ｓを、コネクタ本体１０の接続部１３，１４に対して所定の方向Ｄに向けることができる。
【００４７】
したがって、シリンジ８に一体に設けた雌ねじ２９をキャップ１１の雄ねじ２３にねじ結合させて、シリンジ８をコネクタ１に固定したときには、コネクタ１に固定された状態のシリンジ８の目盛りが、コネクタ１に対して一定の方向を向くようにすることができる。例えば、図７に示すように、上下方向に垂れ下がる輸液ライン２に本発明のコネクタ１を設けた場合には、そのコネクタ１に固定したシリンジ８の目盛りを、常に手前側に向けるように、雄ねじ２３のねじ山開始端Ｓと各突起３１や凹溝３２の位置とを設定することができる。これにより、コネクタ１に接続したときに、シリンジ８の目盛りを目視し易くして、シリンジ８の操作を容易に行い得るようにすることができる。
【００４８】
また、図８に示すように、シリンジ８のように目盛りを有さない被接続部材３３に対しても、例えば、被接続部材３３とコネクタ本体１０とに締め込み位置を規定するためのマーク３４，３５を付す構成とした場合には、これらのマーク３４，３５が一致するまで被接続部材３３の雌ねじをコネクタ１の雄ねじ２３にねじ結合させることで適切な締め込み度合いを目視により確認して、被接続部材３３のコネクタ１への接続操作を容易に行い得るようにすることができる。
【００４９】
図９（ａ）、（ｂ）はそれぞれ、位置決め手段の変形例を示す図である。
位置決め手段３０は、突起３１と凹溝３２とをそれぞれ２つ設ける構成に限らず、コネクタ本体１０の各接続部１３，１４に対する雄ねじ２３のねじ山開始端Ｓの位置が常に同一の位置となるようにキャップ１１をコネクタ本体１０に位置決めすることができる配置であれば、図９（ａ）に示すように、少なくとも１つの突起３１と凹溝３２とが設けられていればよく、その個数は問わない。
【００５０】
また、キャップ１１のフランジ部２２に突起３１を設け、コネクタ本体１０の嵌合凹部１８に凹溝３２を設ける構成に限らず、図９（ｂ）に示すように、キャップ１１のフランジ部２２に凹溝３２を設け、コネクタ本体１０の嵌合凹部１８に突起３１を設ける構成とすることもできる。この場合においても、コネクタ本体１０の各接続部１３，１４に対する雄ねじ２３のねじ山開始端Ｓの位置が常に同一の位置となるように、キャップ１１をコネクタ本体１０に位置決めすることができる配置であれば、突起３１と凹溝３２とを任意の個数設けることができる。
【００５１】
本発明は前記実施の形態に限定されるものではなく、その要旨を逸脱しない範囲で種々変更可能であることはいうまでもない。
【００５２】
例えば、前記実施の形態においては、位置決め手段３０として、キャップ１１のフランジ部２２の外周面に台形形状の突起３１を設けるとともに、コネクタ本体１０の嵌合凹部１８の内周面に台形形状の凹溝３２を設けるようにしているが、これ限らず、キャップ１１をコネクタ本体１０に対して、円筒部２１の軸心を中心とした回転方向に位置決めすることができる構成であれば、コネクタ本体１０とキャップ１１の他の場所に突起３１と凹溝３２とを設けることができる。また、突起３１や凹溝３２の形状も任意に設定することができる。
【００５３】
また、前記実施の形態においては、キャップ１１に弾性体により形成された弁体２５を装着するようにしているが、これに限らず、例えばコネクタ１の不使用時（非接続時）には、雄ねじ２３にオーバーキャップをねじ結合して接続孔２４を閉塞する構成とするなど、弁体２５を設けない構成とすることもできる。また、弁体２５として、例えば、軸方向に変形して通路を開放する蛇腹形状のものなど、他の構成のものを用いることもできる。
【００５４】
さらに、前記実施の形態においては、コネクタ１にシリンジ８を接続する場合を例示しているが、コネクタ１には、他の医療機器や他の輸液ライン等の被接続部材を接続することもできる。
【符号の説明】
【００５５】
１    コネクタ
２    輸液ライン
３    輸液バッグ
４    留置針
５    点滴筒
６    クレンメ
７    チューブ
８    シリンジ
１０    コネクタ本体
１１    キャップ
１２    本体部
１２ａ  上面
１３，１４  接続部
１５    流入口
１６    流出口
１７    流路
１８    嵌合凹部
１８ａ  底面
１９    接続用開口
２０    凸部
２１    円筒部
２１ａ  端面
２２    フランジ部
２３    雄ねじ
２４    接続孔
２５    弁体
２５ａ  弁本体部
２５ｂ  被保持部
２５ｃ  押込み面
２５ｄ  スリット
２６    内挿体
２７    オスコネクタ
２８    筒部
２９    雌ねじ
３０    位置決め手段
３１    突起
３２    凹溝（凹部）
３３    被接続部材
３４，３５  マーク
Ｓ    ねじ山開始端
【図１】
0003203662.tif 000003
【図２】
0003203662.tif 000004
【図３】
0003203662.tif 000005
【図４】
0003203662.tif 000006
【図５】
0003203662.tif 000007
【図６】
0003203662.tif 000008
【図７】
0003203662.tif 000009
【図８】
0003203662.tif 000010
【図９】
0003203662.tif 000011